(57)【要約】【課題】  本発明は、汚水を少なくとも磁気処理機構、高圧ポンプ機構、触媒接触機構、磁気処理機構を通すことにより、汚水、排水基準を満たすとともに、活性化された浄化水として、河川や湖沼に放流することができる汚水の処理システムを提供することを目的とする。【解決手段】  本発明における汚水の処理システムは、少なくとも第１磁気処理機構、高圧ポンプ機構、触媒接触機構、および第２磁気処理機構が直列に接続されるように構成され、汚水がこれらを通過することにより、前記第２磁気処理機構の出力部から活性化された浄化水となって送出される。前記第１磁気処理機構および第２磁気処理機構は、前記原水の改質をもたらすものである。前記高圧ポンプ機構は、前記第１磁気処理機構によって磁気的に処理された処理水を吸引するとともに、触媒接触機構において、処理水を激しく、セラミックス等の触媒物質の全面にムラなく接触させ、充分な触媒接触効果を引き出すことが可能である。【選択図】    図１
2005230709.tif 000002
【特許請求の範囲】
【請求項１】
通過する原水を磁気的作用により水質を改善するようにした第１磁気処理機構と、
前記第１磁気処理機構によって磁気的に処理された処理水を高圧で送出する高圧ポンプ機構と、
前記高圧ポンプ機構によって高圧で供給される処理水に含有する不純物を吸着処理等する触媒接触機構と、
前記触媒接触機構により処理された処理水を磁気的作用によって水質を改善するようにした第２磁気処理機構と、
を直列に接続し、原水を磁気的に処理して高圧で触媒処理し、更に磁気的に処理するようにしたことを特徴とする汚水の処理システム。
【請求項２】
前記第１磁気処理機構、高圧ポンプ機構、触媒接触機構、および第２磁気処理機構は、分離したり組立可能にしてなることを特徴とする請求項１に記載された汚水の処理システム。
【請求項３】
第１磁気処理機構、高圧ポンプ機構、触媒接触機構、および第２磁気処理機構を直列に接続した汚水の処理機構を、並列に接続してなることを特徴とする請求項１または請求項２に記載された汚水の処理システム。
【請求項４】
通過する原水の含有物質を沈殿したり濾過する物理的前処理機構と、
前記物理的前処理機構によって処理された原水を磁気的作用により水質を改善するようにした第１磁気処理機構と、
前記第１磁気処理機構によって磁気的に処理された処理水を含有する懸濁浮遊物質、溶存物質等を除去処理するストレーナー機構と、
前記ストレーナー機構から供給される処理水を高圧で送出する高圧ポンプ機構と、
前記高圧ポンプ機構によって高圧で供給される処理水に含有する不純物を吸着処理等する触媒接触機構と、
前記触媒接触機構により処理された処理水を磁気的作用によって水質を改善するようにした第２磁気処理機構と、
を直列に接続し、原水を前処理して磁気的に処理し、含有物質を除去処理して高圧で触媒処理し、更に磁気的に処理するようにしたことを特徴とする汚水の処理システム。
【請求項５】
前記物理的前処理機構、第１磁気処理機構、ストレーナー機構、高圧ポンプ機構、触媒接触機構、および第２磁気処理機構は、分離したり組立可能にしてなることを特徴とする請求項４に記載された汚水の処理システム。
【請求項６】
前記物理的前処理機構、第１磁気処理機構、ストレーナー機構、高圧ポンプ機構、触媒接触機構、および第２磁気処理機構を直列に接続した汚水の処理機構を、並列に接続してなることを特徴とする請求項４または請求項５に記載された汚水の処理システム。
【発明の詳細な説明】
【技術分野】
【０００１】
本発明は、各種の工場から排出する汚水、河川や湖沼を浄化するために汲み上げる汚水、巨大な建築物、構築物、構造物等の構築時に地中掘削現場において著しく多量に発生する汚水、各種の洗浄ラインにおいて発生する汚水、農業や養殖漁業において発生する汚水などを確実に処理するようにした汚水の処理システムに関するもので、処理水は磁気処理によって活性化され、また溶解力、浸透力、流動性などの特性が向上しているとともに法で規定する排水基準を十分に満たしているので、そのままの状態で河川に放流できるばかりでなく、各種の工事や食品加工用、洗浄ライン用、若しくは農業や養殖漁業用の無注薬化、薬剤軽減化用の水として有効に再利用できるものである。
【背景技術】
【０００２】
例えば建設工事等における排水を磁気処理するために、建築工事等において湧く水、工事用水を排出する際に、水質防止汚濁法に定められた放流基準値を満足させる排水処理を行い、原水中の汚濁物質を凝集するために使用する無機凝集剤を不要とし、併せて炭酸ガスの使用量を減量し、更にはセメント成分のスケール固着を無くしてメンテナンスを軽減することにより、排水処理に要するコストを低減するようにした排水処理装置は、既に知られている。
【０００３】
前記従来の排水処理装置は、建設工事等において排出した原水の懸濁浮遊物質を磁化処理するとともに電解凝集法によって凝集する装置であり、磁化処理のための装置は、原水を移送する配管の外周に交流式のコイルを螺旋状に巻回して、該コイルに電流を流す構成を備え、電解凝集法のための装置は、磁化した原水を貯留する処理槽にプラス極とマイナス極の電極を設けてこれらの極性を切り替えることにより原水中の懸濁浮遊物質を凝集するようにした構成である。
【０００４】
【特許文献１】特開２０００−２４６２５７号公報
【発明の開示】
【発明が解決しようとする課題】
【０００５】
しかし、前記した従来の排水処理装置ではバッチ式であるから、多量の排水を連続的に、確実に浄化処理できないし、排水中に含有する各種の成分を除去することができないので、例えば道路や軌道構造物の地中掘削工事時に発生する多量の地下水、地中水を排水基準を満たすように浄化処理して河川や湖沼に放流することができない。
【０００６】
また、従来の排水処理装置は、発生する排水の量に合った浄化処理施設にする必要があり、前記浄化処理施設では磁化装置や凝集装置が一体化しているので、処理の規模に対応することができない。また、浄化処理施設は、すべて一体化しているため、大形クレーンを使用して設置したり撤去しなければならず、狭い現場や、幅狭な道路を通過しなければ現場に到着できない場合には利用することができない。
【０００７】
以上のような従来の課題を解決するために、本発明は、汚水を少なくとも磁気処理機構、高圧ポンプ機構、触媒接触機構、磁気処理機構を通すことにより、活性化されて排水基準を満たす浄化水として、河川や湖沼に放流したり、灌漑施設や養魚施設に供給することができる汚水の処理システムを提供することを目的とする。
【０００８】
本発明は、汚水の処理システムを構成する複数の機構をパーツとすることで重量輸送が不要であり、またパーツ化されているのでランニングコストやメンテナンスが著しく簡単で、低価格となる。
また、前記複数の機構のパーツを必要な数だけ直列に接続して単位処理システムを構成し、さらに、前記単位処理システムを並列に接続することにより、汚水の処理施設を汚水の処理量に合わせることが容易である汚水の処理システムを提供することを目的とする。
【課題を解決するための手段】
【０００９】
（第１発明）
第１発明における汚水の処理システムは、通過する原水を磁気的作用により水質を改善するようにした第１磁気処理機構と、前記第１磁気処理機構によって磁気的に処理された処理水を高圧で送出する高圧ポンプ機構と、前記高圧ポンプ機構によって高圧で供給される処理水に含有する不純物を吸着処理等する触媒接触機構と、前記触媒接触機構により処理された処理水を磁気的作用によって水質を改善するようにした第２磁気処理機構と、を直列に接続し、原水を磁気的に処理して高圧で触媒処理し、更に磁気的に処理するようにしたことを特徴とする。
【００１０】
（第２発明）
第２発明における汚水の処理システムにおいて、第１発明の汚水の処理システムにおける第１磁気処理機構、高圧ポンプ機構、触媒接触機構、および第２磁気処理機構は、分離したり組立可能にしてなることを特徴とする。
【００１１】
（第３発明）
第３発明における汚水の処理システムは、第１発明の汚水の処理システムにおける第１磁気処理機構、高圧ポンプ機構、触媒接触機構、および第２磁気処理機構を直列に接続した汚水の処理機構を、並列に接続してなることを特徴とする。
【００１２】
（第４発明）
第４発明における汚水の処理システムは、通過する原水の含有物質を沈殿したり濾過する物理的前処理機構と、前記物理的前処理機構によって処理された原水を磁気的作用により水質を改善するようにした第１磁気処理機構と、前記第１磁気処理機構によって磁気的に処理された処理水を含有する懸濁浮遊物質、溶存物質等を除去処理するストレーナー機構と、前記ストレーナー機構から供給される処理水を高圧で送出する高圧ポンプ機構と、前記高圧ポンプ機構によって高圧で供給される処理水に含有する不純物を吸着処理等する触媒接触機構と、前記触媒接触機構により処理された処理水を磁気的作用によって水質を改善するようにした第２磁気処理機構と、を直列に接続し、原水を前処理して磁気的に処理し、含有物質を除去処理して高圧で触媒処理し、更に磁気的に処理するようにしたことを特徴とする。
【００１３】
（第５発明）
第５発明における汚水の処理システムにおいて、第４発明の汚水の処理システムにおける物理的前処理機構、第１磁気処理機構、ストレーナー機構、高圧ポンプ機構、触媒接触機構、および第２磁気処理機構は、分離したり組立可能にしてなることを特徴とする。
【００１４】
（第６発明）
第６発明における汚水の処理システムは、第４発明の汚水の処理システムにおける物理的前処理機構、第１磁気処理機構、ストレーナー機構、高圧ポンプ機構、触媒接触機構、および第２磁気処理機構を直列に接続した汚水の処理機構を、並列に接続してなることを特徴とする。
【発明の効果】
【００１５】
本発明によれば、少なくとも第１磁気処理機構、高圧ポンプ機構、触媒接触機構、および第２磁気処理機構が直列に接続された機構を汚水である原水が通過することにより、出力部から活性化された浄化水となって送出され、また、排水基準を満たすのでそのまま河川や湖沼に放流することができる。
【００１６】
本発明によれば、前記処理システムから排出する浄化処理水は、磁気処理機構によって活性化されているので、灌漑施設や養魚施設に導いて農業や漁業に使用された場合、植物および魚等の育成を促進するのに効果がある。
【００１７】
本発明によれば、磁気処理機構および触媒接触機構が互いに相乗効果を発揮し、より活性化された浄化水とすることができる。
【００１８】
本発明によれば、少なくとも磁気処理機構、高圧ポンプ機構、触媒接触機構がそれぞれ配管、バルブ、継ぎ手等とともに、パーツ化されているため、特に搬送が容易になって処理現場での組立や解体を簡単にすることができる。
【００１９】
本発明によれば、少なくとも磁気処理機構、高圧ポンプ機構、触媒接触機構がそれぞれ配管、バルブ、継ぎ手等とともに、パーツ化されているため、これらを直列に接続した汚水の処理機構を、原水の量により複数基を並列に接続することで、どの程度の量の汚水であっても確実に処理することができる。
【００２０】
本発明によれば、汚水が各種の土木工事、建設工事、食品加工用、洗浄ライン用であっても、無機凝集剤等の薬剤を使用しないし、処理水が活性化されているので、灌漑施設や養魚施設に導くことにより、農業および漁業に有効に再利用できるものである。
【発明を実施するための最良の形態】
【００２１】
（第１発明）
第１発明における汚水の処理システムは、少なくとも第１磁気処理機構、高圧ポンプ機構、触媒接触機構、および第２磁気処理機構が直列に接続されるように構成され、汚水である原水がこれらを通過することにより、前記第２磁気処理機構の出力部から活性化された浄化水となって送出される。
【００２２】
前記第１磁気処理機構は、汚水である原水が内部における高磁界密度中を通過する際に、前記原水の懸濁浮遊物質、粒子や溶存物質イオンの水和殻の物理・化学的作用を促し、荷電イオンの電位差の発生に伴い、結晶化を促進させ、同時に溶存している気泡、ガス等の凝集、脱気作用が生じるので、界面活性力、溶解力、浸透力、流動性などが向上し、磁気処理された水を著しく改質するのである。
【００２３】
また、前記第１磁気処理機構は、次工程の触媒接触機構における不純物の吸着作用効果が時間経過とともに劣化するのを防止する。すなわち、前記磁気処理機構は、前記原水の改質により、触媒接触機構におけるセラミックス等の触媒物質の表面に不純物が付着・堆積するのを抑制することができるため、前記セラミックス等の汚損を防ぎ、触媒自体の働きを長期間円滑に作用させることができると同時に、磁気処理の効力と触媒作用の効力との相乗効果に基づき、原水を有効に処理するものである。
【００２４】
前記高圧ポンプ機構は、前記第１磁気処理機構によって磁気的に処理された処理水を高圧で吸引するとともに、次工程である触媒接触機構において、処理水を高圧（１〜３Kg／Cm2程度）で激しく噴射させ、セラミックス等の触媒物質の全面にムラなく接触させ、充分な触媒接触効果を引き出すことが可能である。
【００２５】
前記触媒接触機構は、セラミックス類、鉱物、鉱石等、水に対して還元、浄化作用のある物質を内蔵している。前記第１磁気処理機構によって磁気的に改質されている処理水は、前記触媒接触機構において、前記高圧ポンプ機構によって激しく接触させることで、触媒の全ての表面部位に強力に接触し、触媒自体に激しいエネルギーの振動作用が起こり、強力なエネルギーが処理水に作用し、還元力が高まるので前記処理水の浄化、活性化が著しく促進される。
【００２６】
第２磁気処理機構は、前記触媒接触機構により処理された処理水に再度磁気的作用を与えて、処理水の水質をさらに改善することができる。第１発明は、第１磁気処理機構、高圧ポンプ機構、触媒接触機構、第２磁気処理機構の全部が機能的に協働するように作用する。
【００２７】
第１発明は、前記第１磁気処理機構、高圧ポンプ機構、触媒接触機構、第２磁気処理機構を直列に接続することで、汚水である原水を磁気的に処理して高圧で触媒処理し、更に磁気的に処理することにより、活性化された浄化水が得られる。
【００２８】
（第２発明）
第２発明における汚水の処理システムは、第１磁気処理機構、高圧ポンプ機構、触媒接触機構、および第２磁気処理機構が配管、バルブ、継ぎ手等を介して直列に接続されている。第２発明における汚水の処理システムは、一つまたは二つの機構とバルブ、継ぎ手等が単体（パーツ）となるように作製され、運搬、解体、組立が容易な構造になっているので、どのような現場にでも設置したり、使用後に解体することができる。
【００２９】
（第３発明）
第３発明における汚水の処理システムは、第１発明における汚水の処理システムを並列に接続したものである。第３発明における汚水の処理システムは、分離および組立が容易にできるような構造となっている第１発明の汚水の処理システムを並列に接続することで、処理する汚水の量に対応してシステム構築することができる。たとえば、１基の処理システムが１日に１０００トンの汚水を処理することができる規模であれば、１日に３０００トンの汚水が発生する現場では３基を並列に設置し、１日に５０００トンの汚水が発生する現場では５基を並列に設置すればよい。
【００３０】
（第４発明）
第４発明における汚水の処理システムは、少なくとも、物理的前処理機構と、第１磁気処理機構と、ストレーナー機構と、高圧ポンプ機構と、触媒接触機構と、第２磁気処理機構とが直列に接続されるように構成され、汚水である原水がこれらを通過することにより、前記第２磁気処理機構の出力部から活性化された浄化水となって送出される。
【００３１】
第４発明は、第１発明における第１磁気処理機構の前に、物理的前処理機構が入り、第１発明における第１磁気処理機構と高圧ポンプ機構との間にストレーナー機構を設置している点で、第１発明と異なっている。
【００３２】
前記物理的前処理機構は、汚水である原水に混入されている固形物、たとえば、砂、砂利、汚泥等を多量に含んでいる場合には複数の沈殿槽が設置され、前記汚水である原水が第１段の沈殿槽からオーバーフローすると同時に、第２段の沈殿槽に流入するような構成になっている。前記原水は、複数の沈殿槽に順に流入する際に、各槽の底部に前記固形物等を沈殿させるとともに、濾過材によって除去させることができる。
【００３３】
前記物理的前処理機構は、前記原水の質により、段数を考慮することで、通過する原水の含有固形物質等を沈殿させ、次の処理機構に固形物が混入するのを防止したり、混入量を著しく低減することができる。たとえば、構築物の構築時に、地下掘削による発生する地中水、地下水による排水処理において、ポンプの始動時に砂、砂利、汚泥、配管内の鉄錆、固形物等が大量に流入するおそれがある場合は、前記物理的前処理機構を設置する必要がある。
【００３４】
前記ストレーナー機構は、前記第１磁気処理機構によって磁気的に処理された処理水に含有する懸濁浮遊物質、溶存物質等を除去処理するものである。すなわち、前記ストレーナー機構は、前記物理的前処理機構によって処理しきれなかった懸濁浮遊物質や溶存物質等の微細な物質を除去できる濾過装置である。
【００３５】
第４発明における汚水の処理システムは、第１発明における汚水の処理システムに前記物理的前処理機構とストレーナー機構を追加することで、砂や砂利等の固形物質、および懸濁浮遊物質や溶存物質のように微細な物質を確実に除去することができ、また触媒処理をより有効に作用できるような機構になっているとともに、処理水が活性化された浄化水となって送出される。
【００３６】
（第５発明）
第５発明における汚水の処理システムは、物理的前処理機構、第１磁気処理機構、ストレーナー機構、高圧ポンプ機構、触媒接触機構、および第２磁気処理機構が配管、バルブ、継ぎ手等を介して直列に接続されている。第５発明における汚水の処理システムは、少なくとも各機構が単体となってバルブや継ぎ手等により組み立てたり解体することができるので、運搬が著しく容易になって小型のトラックによりどの様な現場にでも搬送して設置したり、撤去することができる。
【００３７】
（第６発明）
第６発明における汚水の処理システムは、第４発明における汚水の処理システムを並列に接続したものである。第６発明における汚水の処理システムは、大きな物質や懸濁浮遊物質または溶存物質等を除去することができる点で第３発明と異なっているだけで、その他の作用効果については同じである。
【実施例１】
【００３８】
図１は本発明の第１実施例である汚水処理システムを説明するための工程図である。図２は本発明の第１実施例である汚水処理システムを説明するためのブロック図である。
図１および図２において、汚水処理システムは、第１磁気処理部１１、第１触媒接触部１２、第２磁気処理部１３とから少なくとも構成され、図示のように直列に接続されている。
【００３９】
前記第１磁気処理部１１は、第１磁気処理装置１１１と、バルブ１１２と、ドレイン用バルブ１１３と、継ぎ手となるフランジの一方１１４とから構成されている。前記ドレイン用バルブ１１３は、前記パイプのドレイン、もしくは前記第１磁気処理装置１１１の内部を清掃する際に使用した水等を排出するためのバルブである。
【００４０】
第１触媒接触部１２は、前記フランジの一方１１４と図示されていないパッキングを介して固定されるフランジの一方１２６と、高圧ポンプ装置１２１と、第１触媒接触装置１２２と、前記第１触媒接触装置１２２の入力部側および出力部側に設けられたバルブ１２３、１２４と、前記第１触媒接触装置１２２をバイパスするコック１２５と、継ぎ手となるフランジの一方１２７とから構成されている。
【００４１】
第２磁気処理部１３は、前記フランジの一方１２７と図示されていないパッキングを介して固定されるフランジの一方１３３と、逆止弁１３２と、第２磁気処理装置１３１とから構成されている。なお、第１磁気処理部１１、第１触媒接触部１２、および第２磁気処理部１３は、直列に接続されるパイプが図示のごとく接続されている。
【００４２】
前記第１磁気処理装置１１１は、アルミニウム、樹脂等からなる非磁性パイプの外周に超高磁性永久磁石を設けた構成で、汚水である原水が前記パイプの内部における超高磁界中を通過する際に、前記原水の懸濁浮遊物質、粒子や溶存物質イオンの水和殻の物理・化学的作用を促し、荷電イオンの電位差の発生に伴い、結晶化を促進させ、同時に溶存している気泡、ガス等の凝集、脱気作用が起こることにより、前記原水の改質をもたらすものである。
【００４３】
次に、第１触媒接触部１２において、高圧ポンプ１２１は、第１磁気処理部１１から処理水を高圧で吸引すると同時に、前記処理水を高圧で第１触媒接触装置１２２に高圧で噴射するように供給する。
【００４４】
前記第１触媒接触装置１２２は、高圧で供給された処理水を激しく、セラミックス等の触媒物質の全面にムラなく接触させ、充分な触媒接触効果を引き出し、処理水を浄化するとともに活性化させる。前記高圧ポンプ１２１は、たとえば、１ないし３kg／ｃｍ2 かけて前記第１触媒接触装置１２２に高圧で注入された。
【００４５】
前記第２磁気処理装置１３１は、前記第１磁気処理装置１１１と同様な構成で、前記第１触媒接触装置１２２により処理された処理水に再度磁気的作用を与えて、処理水の水質をさらに改善することができる。第１実施例は、第１磁気処理装置１１１、高圧ポンプ１２１、第１触媒接触装置１２２、第２磁気処理装置１３１がそれぞれ協働して作用するため、著しく浄化されて活性化された浄化水にすることができる。
【００４６】
前記第１磁気処理部１１は、第１磁気処理装置１１１と、バルブ１１２、１１３と、フランジ１１４と、配管（図において符号なし）とで、一つの部品（パーツ）として作製され、運搬、組立、分解等が容易に行われるようにできている。
【００４７】
前記第１触媒接触装置１２２内に充填する触媒物質としては、水の界面活性・植物活性・抗菌・吸着・防錆・脱臭・汚泥分解作用などの効果を有する遠赤外線放射セラミックス体（例えば無機質セラミックス系材料をブレンドしたセラミックス、光触媒の二酸化炭素をブレンドしたセラミックス、金属元素（シリカ・アルミナ・マグネシア・鉄等）をブレンドしたセラミックス、その他の素材をブレンドしたセラミックス等）を使用することができる。
【００４８】
また、恒久的に静電気を発生して水質の活性化・静菌・防臭・遠赤外線効果・生体細胞活性化・マイナスイオン効果などを有するトルマリン体、公害物質の吸着作用や脱臭、並びに水に対する浄化作用を有するゼオライト体、水の浄化作用が高い麦飯石、銀イオンの殺菌力を保持させるセラミックスで強力な抗菌性を有する銀担持抗菌性セラミックス体、多元素、多乳質、放射エネルギー、鉱物エネルギーなどの効果を有するラジウム含有鉱石、天然鉄鉱、天然活性石、リン化系原鉱石等を利用することができる。
【００４９】
第１実施例は、高密度磁界による第１磁気処理装置１１１および第２磁気処理装置１３１と高圧ポンプ１２１および第１触媒接触装置１２２の相乗効果により、活性化されて浄水を得ることができた。
【実施例２】
【００５０】
図３は本発明の第２実施例である汚水処理システムを説明するための工程図である。図４は本発明の第２実施例である汚水処理システムを説明するためのブロック図である。図３および図４において、第２実施例の汚水処理システムは、第１磁気処理部１１と第１触媒接触部１２との間に、ストレーナー部１４とバルブ組立体１５がパーツとして挿入されている。その他の処理部は、第１実施例と同じ構成であるから、同一符号を付して詳細な説明を省略する。
【００５１】
前記ストレーナー部１４におけるストレーナー１４１は、前記第１磁気処理装置１１１によって磁気的に処理された処理水に含有する懸濁浮遊物質、溶存物質等を除去するものである。すなわち、前記ストレーナー１４１は、第１磁気処理装置１１１によって物理・化学的作用が施された懸濁浮遊物質や溶存物質等の微細な物質を除去するものである。
【００５２】
前記ストレーナー１４１は、磁気的に処理された処理水に含有する懸濁浮遊物質や溶存物質等の微細な物質を除去することができ、処理水を浄化したり活性化させる。前記バルブ組立体１５は、継ぎ手となるフランジ１５２、バルブ１５１、および他方の継ぎ手となるフランジ１５３等を有して一つの部品となり、バルブ１５１によりパイプを通過する水を開閉することができる。
【実施例３】
【００５３】
図５は本発明の第３実施例である汚水処理システムを説明するための概略図で、（イ）は縦方向断面図、（ロ）は平面図、（ハ）は横方向断面図である。
図５において、第３実施例の汚水処理システムにおける物理的前処理機構としての濾過部５１は、たとえば、第１濾過槽５１１、第２濾過槽５１２、および第３濾過槽５１３から構成されている。また、各濾過槽は、濾過槽内に仕切部５１１１、５１２１、５１３１が設けてあって、前記仕切部によって仕切られた前後の部屋は下方で連通し、各濾過槽の上方に設けた水の出力部に第１濾過装置５１６、第２濾過装置５１７、第３濾過装置５１８がそれぞれ設けられている。
なお、各濾過槽は上面が開放していてもよいし、蓋などにより閉止していてもよい。
【００５４】
第１濾過装置５１６、第２濾過装置５１７、第３濾過装置５１８は、それぞれ通水性ボックスの内部に不織布などの濾過材を充填した構成で、各通水ボックス／濾過材の一方若しくは両方は、第１濾過装置５１６から第３濾過装置５１８に向かって目が細かくなっている。しかし、各濾過装置のすべてを同一の目としてもよい。どの様な濾過装置を使用するかは、処理現場で発生する汚水の状態によって設定すればよい。
したがって、濾過部５１を通過する汚水は、第１濾過槽５１１、第２濾過槽５１２、および第３濾過槽５１３をＵ字状に流れ、濾過槽から次の濾過槽に移る際には濾過装置を順次通過する。そして、処理水内に含まれる砂、砂利、汚泥等の固形物は、各濾過槽内の下方に沈殿し、また含有物質が各濾過装置で除去された処理水は、出力管５１９から後述する浄化部５２に流入する。
【００５５】
前記濾過部５１は、複数の濾過槽を連続させることにより、通過する処理水に含有する砂、砂利、汚泥等の固形物をほとんど沈殿させ、次の処理工程である浄化部５２に固形物が流入するのを低減させる。したがって、物理的前処理機構である濾過部５１を設けた本発明の第３実施例では、固形物が多量に含有する地上、地中構築物工事において発生する固形物が多量に含有する地中水、地下水等の排水を処理する場合に効果がある。
なお、各濾過槽５１１、５１２、５１３に沈殿する固形物は、濾過部５１の不使用時にバルブを開放して排水口５１１２、５１２２、５１３２から排水パイプ５１４に排出することができる。
【００５６】
図６は本発明の第３実施例における浄化部を説明するための図である。
前記浄化部５２は、第１磁気処理装置１１１、ストレーナー１４１、高圧ポンプ１２１、第１触媒接触装置１２２、第２磁気処理装置１３１、第２触媒接触装置５２１、第３磁気処理装置５２３、流量計５２４が直列に接続されていて、前記第１実施例、第２実施例と同一の構成であるから、同一の構成部分に同一の符号を付して詳細な説明を省略する。
前記第３実施例において、前記第２触媒接触装置５２１、および第３磁気処理装置５２３を追加したのは、処理水の浄化効果をさらに高めるとともに、浄化水の活性化をより向上させることができる。また、流量計５２４によって単位時間当たりの処理水の処理量を確認することができる。
【実施例４】
【００５７】
図７は本発明の第４実施例である汚水処理システムを説明するための概略図である。図７において、第４実施例の汚水処理システムは、入水側の排水部６１が図１ないし図４の汚水処理システムにおける排水側の排水部６１であって、第２浄化ブロック６２と、第３浄化ブロック６３と、第４浄化ブロック６４を直列に接続して構成されている。
【００５８】
第２浄化ブロック６２は、第２触媒接触装置６２１と第３磁気処理装置６２３とが単体として予め構成されて、組み立てたり分離することができる。また、前記第２浄化ブロック６２に第３浄化ブロック６３および第４浄化ブロック６４を直列に接続して構成されている。
【００５９】
図１ないし図４に示された汚水処理システムには、処理する原水の状態により必要な数だけの前記第４実施例の浄化ブロックを接続することができる。本発明の汚水の処理システムは、汚水が第１段階で磁気処理部を通過し、触媒接触部を通過した後に再び磁気処理部を通過し、また触媒接触部においては汚水が高圧で噴射接触して触媒による処理効果を著しく高めるようにした点に特徴がある。本発明は、磁気処理装置を前記のように接続することで、浄化水を活性化させ、また、法で規定する排出基準を満たすので、河川や湖沼にそのまま放流できるし、灌漑施設や養魚施設に導けば、農作物および魚類等に生育を促進させることができる。
また、汚水処理用の各装置や構成体を駅密、気密になるように組み立てたり解体可能にすることにより、小型車で処理場所に搬入したり搬出することができるので、重量搬送が必要ないので搬入、設置、解体搬出がきわめて低廉になる。
しかも、現場がどの様な状況であっても、簡単に搬入して設置し、処理終了後には解体して搬出することができるものである。
【実施例５】
【００６０】
図８は本発明の第５実施例である汚水処理システムを説明するための概略図である。図８においては、図１ないし図６における汚水処理システムの複数基を並列に接続している。前記汚水処理システムは、直列浄化ブロック７１ないし直列浄化ブロック７４が並列に接続されている。
【００６１】
前記直列浄化ブロックは、磁気処理装置、高圧ポンプおよび触媒接触装置を汚水の処理量に基づいて直列に接続する構成で、処理する汚水量によって並列設置する直列浄化ブロックの数を設定することができる。
【実施例６】
【００６２】
図９（イ）ないし（ニ）は本発明の実施例に使用する触媒接触装置を説明するための図である。図９（イ）ないし（ニ）において、触媒接触装置１２２は、触媒接触槽８１と、触媒接触槽８１を左右に二分割するとともに下部に開口８２１を構成する仕切板８２と、前記仕切板８２により仕切られた触媒接触槽８１の一方の室に収納されているセラミックス結合体８５と、処理水８４を入力する入力パイプ８３と、処理後の処理水８４を出力する出力パイプ８６とから構成され、前記セラミックス結合体８５は、入力パイプ８３を有する室に収納されている。
【００６３】
前記セラミックス結合体８５は、４つのセラミックス体８５１が接着剤により、空隙を有する三角錐となるように同一角度の態様で接合して構成されている。前記三角錐からなるセラミックス結合体８５は、微細な連続空隙を有し、隣り合うものどうしが面接触しないで空隙を保っているので、処理水８４がどのような角度から激しく接触しても全面に接触し、また、接触面積が著しく大きくなって触媒による処理効率を著しく高めることができる。前記三角錐からなるセラミックス結合体８５は、セラミックス単体で使用する場合と比較して、処理水の量及び処理効果を倍増することができた。
【００６４】
前記セラミックス結合体８５は、前記触媒接触槽８１の処理水流入側の一方の室に上方の一部を除いて充填し、処理水８４を高圧ポンプにより高圧で噴射状に供給すると、前記セラミックス結合体８５の全面にムラなく接触し、著しい触媒接触効果を発生することができる。
そして、セラミックス結合体８５に接触して浄化された処理水は、出力パイプ８６から流出する。
【産業上の利用可能性】
【００６５】
以上、本実施例を詳述したが、本発明は、前記本実施例に限定されるものではなく、特許請求の範囲に記載されている事項を逸脱することがなければ、種々の設計変更を行うことが可能である。たとえば、本発明は、磁気処理装置、触媒接触装置、加圧ポンプ、ストレーナー、管、バルブ、継ぎ手等は、本発明の目的を逸脱することがなければ、どの様に設計しても良いし、連結状態も限定されるものではない。
【００６６】
また、本発明の触媒物質は、特許請求の範囲に記載された事項を逸脱しない限り、形状および寸法、材質等を任意に変更することができる。
【図面の簡単な説明】
【００６７】
【図１】本発明の第１実施例である汚水処理システムを説明するための工程図である。
【図２】本発明の第１実施例である汚水処理システムを説明するためのブロック図である。
【図３】本発明の第２実施例である汚水処理システムを説明するための工程図である。
【図４】本発明の第２実施例である汚水処理システムを説明するためのブロック図である。
【図５】本発明の第３実施例である汚水処理システムを説明するための概略図で、（イ）は縦方向断面図、（ロ）は平面図、（ハ）は横方向断面図である。
【図６】本発明の第３実施例における浄化部を説明するための図である。
【図７】本発明の第４実施例である汚水処理システムを説明するための概略図である。
【図８】本発明の第５実施例である汚水処理システムを説明するための概略図である。
【図９】（イ）ないし（ニ）は本発明の汚水処理システムに使用する触媒接触装置を説明するための図である。
【符号の説明】
【００６８】
１１・・・第１磁気処理部
１１１・・・第１磁気処理装置
１１２・・・バルブ
１１３・・・ドレイン用バルブ
１１４・・・フランジ
１２・・・第１触媒接触部
１２１・・・高圧ポンプ
１２２・・・第１触媒接触装置
１２３・・・バルブ
１２４・・・バルブ
１２５・・・バイパスコック
１２６・・・フランジ
１２７・・・フランジ
１３・・・第２磁気処理部
１３１・・・第２磁気処理装置
１３２・・・逆止弁
１３３・・・フランジ
１４・・・ストレーナー部
１４１・・・ストレーナー
１５・・・バルブ組立体
１５１・・・バルブ
１５２、１５３・・・フランジ
【図１】
2005230709.tif 000003
【図２】
2005230709.tif 000004
【図３】
2005230709.tif 000005
【図４】
2005230709.tif 000006
【図５】
2005230709.tif 000007
【図６】
2005230709.tif 000008
【図７】
2005230709.tif 000009
【図８】
2005230709.tif 000010
【図９】
2005230709.tif 000011